【手続補正書】
【提出日】平成20年11月17日(2008.11.17)
【手続補正１】
【補正対象書類名】特許請求の範囲
【補正対象項目名】全文
【補正方法】変更
【補正の内容】
【特許請求の範囲】
【請求項１】
接続端子装置であって、
ソケットを含み、ソケットは、
ソケットハウジングと、
前記ソケットハウジング内に配置された絶縁体と、
前記絶縁体内に配置された第１のコンタクトと、
前記ハウジングの遠位端のまわりに配置されたロックリングと、
前記ソケットハウジングの前記遠位端および前記ロックリングのまわりに配置されて前記ソケットハウジングに相対して第１の位置および第２の位置の間で移動可能なシュラウドとを含み、前記シュラウドは外壁および内壁を有し、前記シュラウドおよび前記ロックリングは、前記シュラウドが前記第１の位置から前記第２の位置に動くとき、前記内壁は前記ロックリングに接触して前記ロックリングを外向きに屈曲させるよう構成され、前記接続子装置はさらに、
プラグを含み、プラグは、
絶縁体および絶縁体内に配置されたコンタクトを収容する一般に円筒状の導電性プラグハウジングを含み、プラグハウジングは、その外壁に、一方側に第１の傾斜面を有して反対側に第２の傾斜面を有する突起を有し、
ソケットは、プラグがソケットの遠位端に挿入されてロックリングによって定位置にロックされると、ロックリングがプラグハウジングの突起に軸方向力を及ぼすように構成されるが、この軸方向力は、プラグハウジングの前部表面がソケットのいずれの表面または構成要素も押圧するようにはしない、装置。
【請求項２】
ソケットは、前記ソケットハウジング内に収容された接地コンタクトをさらに含み、前記接地コンタクトは金属製であって、プラグハウジングがソケットハウジングに完全に挿入されるとソケットハウジングをプラグハウジングと電気接続するよう構成される、請求項１に記載の装置。
【請求項３】
接地コンタクトは、ソケットハウジングの内部表面に位置する環状溝内に収容される、請求項２に記載の装置。
【請求項４】
接地コンタクトは、ソケットハウジングと同軸になるよう配列される、請求項３に記載の装置。
【請求項５】
接地コンタクトは環状である、請求項２に記載の装置。
【請求項６】
接地コンタクトは分離リングの形状である、請求項２に記載の装置。
【請求項７】
接地コンタクトは、第１の分離リングと、第２の分離リングと、第１の分離リングを第２の分離リングと接続する１つ以上の一般にＵ形状のコンタクトとを含み、分離リングはそれらが同軸になるよう配列される、請求項２に記載の装置。
【請求項８】
第１の分離リングおよび第２の分離リングは実質的に同じ内径および外径を有するが、第１の分離リングの幅は第２の分離リングの幅よりも実質的に大きい、請求項７に記載の装置。
【請求項９】
一般にＵ形状のコンタクトは接地コンタクトの中心軸に向かって内向きに湾曲する、請求項８に記載の装置。
【請求項１０】
ロックリングは、ベースリングと、ベースリングに取付けられたフィンガとを含み、フィンガはベースリングの中心軸と同じ一般的な方向に延在する、請求項１に記載の装置。
【請求項１１】
フィンガの長手軸は、フィンガの長手軸とロックリングの中心軸との間に約２°の角度があるように、ベースリングの中心軸とほぼ平行だが正確に平行ではない、請求項１０に記載の装置。
【請求項１２】
フィンガは、ベースリングに接続される近位端と、対向する遠位端と、遠位端から内向きに間隔を空けたロックタブとを有し、ロックタブは、フィンガの内部表面からロックリングの中心軸に向かって突出する、請求項１１に記載の装置。
【請求項１３】
ロックタブは、近位端に一般に対面する平坦な後部壁と、遠位端に一般に対面する平坦な前部壁とを有し、後部壁はロックリングの中心軸と角度Ｙを形成する平面上にあり、角度Ｙは約９０°である、請求項１２に記載の装置。
【請求項１４】
前部壁は後部壁に向かって角度を有し、ロックリングの中心軸と角度Ｘを形成する平面上にあって、角度Ｘは約２０°から６０°の間である、請求項１３に記載の装置。
【請求項１５】
角度Ｘは約３６°である、請求項１４に記載の装置。
【請求項１６】
丸みのある底部壁は後部壁を前部壁とを接続する、請求項１４に記載の装置。
【請求項１７】
シュラウドの内壁は２つの主な表面、内部表面および外部表面を有し、２つの表面は環状の尾根部を形成するため集束するよう、内壁の外部表面は内壁の内部表面と平行ではない、請求項１に記載の装置。
【請求項１８】
ソケットであって、
ハウジングと、
前記ハウジング内に配置された絶縁体と、
前記絶縁体内に配置された第１のコンタクトと、
ハウジングの内部表面に位置する環状溝内に収容された環状の接地コンタクトと、
前記ハウジングの遠位端のまわりに配置されたロックリングと、
前記ハウジングの前記遠位端および前記ロックリングのまわりに配置されて前記ハウジングに相対して第１の位置および第２の位置の間で移動可能なシュラウドとを含み、前記シュラウドは外壁および内壁を有し、前記シュラウドおよび前記ロックリングは、前記シュラウドが前記第１の位置から前記第２の位置に動くとき、前記内壁が前記ロックリングに接触して前記ロックリングを外向きに屈曲させるよう構成され、
接地コンタクトは、ソケットハウジングと同軸になるよう配列され、
接地コンタクトは、第１の分離リングと、第２の分離リングと、第１の分離リングを第２の分離リングと接続する１つ以上の一般にＵ形状のコンタクトとを含み、分離リングは同軸になるよう配列され、
第１の分離リングおよび第２の分離リングは実質的に同じ内径および外径を有するが、第１の分離リングの幅は第２の分離リングの幅よりも実質的に大きい、ソケット。
【請求項１９】
接地コンタクトは分離リングの形状である、請求項１８に記載のソケット。
【請求項２０】
一般にＵ形状のコンタクトは接地コンタクトの中心軸に向かって内向きに湾曲する、請求項１８に記載のソケット。
【請求項２１】
ロックリングは、ベースリングと、ベースリングに取付けられたフィンガとを含み、フィンガはベースリングの中心軸と同じ一般的な方向に延在する、請求項１８に記載のソケット。
【請求項２２】
フィンガの長手軸は、フィンガの長手軸とロックリングの中心軸との間に約２°の角度があるように、ベースリングの中心軸とほぼ平行だが正確に平行ではない、請求項２１に記載のソケット。
【請求項２３】
フィンガは、ベースリングに接続される近位端と、対向する遠位端と、遠位端から内向きに間隔を空けたロックタブとを有し、ロックタブは、フィンガの内部表面からロックリングの中心軸に向かって突出する、請求項２２に記載のソケット。
【請求項２４】
ロックタブは、近位端に一般に対面する平坦な後部壁と、遠位端に一般に対面する平坦な前部壁とを有し、後部壁はロックリングの中心軸と角度Ｙを形成する平面上にあり、角度Ｙは約９０°である、請求項２３に記載のソケット。
【請求項２５】
前部壁は後部壁に向かって角度を有し、ロックリングの中心軸と角度Ｘを形成する平面上にあって、角度Ｘは約２０°から６０°の間である、請求項２４に記載のソケット。
【請求項２６】
角度Ｘは約３６°である、請求項２５に記載のソケット。
【請求項２７】
丸みのある底部壁は後部壁を前部壁とを接続する、請求項２５に記載のソケット。
【請求項２８】
シュラウドの内壁は２つの主要な表面、内部表面および外部表面を有し、２つの表面は環状の尾根部を形成するため集束するよう、内壁の外部表面は内壁の内部表面と平行ではない、請求項１８に記載のソケット。
【請求項２９】
ソケットハウジングとプラグハウジングとの間に電気接続を確立するために用いる接地コンタクトであって、
第１の分離リングと、
第２の分離リングと、
第１の分離リングを第２の分離リングと接続する１つ以上の一般にＵ形状のコンタクトとを含み、
分離リングは同軸になるよう配列され、
第１の分離リングおよび第２の分離リングは実質的に等しい内径および外径を有するが、第１の分離リングの幅は第２の分離リングの幅よりも実質的に大きい、接地コンタクト。
【請求項３０】
一般にＵ形状のコンタクトは、接地コンタクトの中心軸に向かって内向きに湾曲する、請求項２９に記載の接地コンタクト。
【請求項３１】
接地コンタクトは、ソケットハウジングの内部表面に位置する環状溝内に収容される、請求項３０に記載の接地コンタクト。